(57)【要約】【課題】機能水吐出装置がボウル部の後方に設けられたバックガードに設置された洗面化粧台において、排水口及び排水口の内部に適切な濃度の機能水を流すことができ、且つ、機能水を早急に排水口の内部に流入させることで排水口の内部に付着している細菌を多く殺菌することができる洗面化粧台を提供する。【解決手段】機能水吐出装置は、バックガードの前面に設置されており、機能水をバックガード及びボウル部の後方壁面に当たらないように吐出する。【選択図】図８
2017127345.tif 000002
【特許請求の範囲】
【請求項１】
排水口が設けられたボウル部を備えた洗面化粧台であって、
殺菌機能を有する機能水を吐出する機能水吐出部が設けられた機能水吐出装置と、をさらに備え、
前記ボウル部の後方には、前記ボウル部の縁より高い位置にバックガードが延設されており、
前記機能水吐出装置は、前記バックガードの前面に設置されており、機能水を前記バックガード及び前記ボウル部の後方壁面に当たらないように吐出することを特徴とする洗面化粧台。
【請求項２】
前記機能水吐出装置は、前記排水口に向かって、前方方向に機能水を広げるように噴霧することを特徴とする請求項１に記載の洗面化粧台。
【請求項３】
前記ボウル部より下方に設けられ、物品が収納可能なキャビネット部をさらに備え、
前記排水口は、前記ボウル部を正面からみて、前記ボウル部内の後方寄りに設けられており、
前記機能水吐出装置から噴霧されている機能水は、前記ボウル部内の後方寄りにおいて略垂直に、前記ボウル部内の前方寄りにおいて斜め前方方向に、噴霧されていることを特徴とする請求項２に記載の洗面化粧台。
【発明の詳細な説明】
【技術分野】
【０００１】
本発明の態様は、一般的に、排水口が設けられたボウル部を備えた洗面化粧台に関する。
【背景技術】
【０００２】
従来、排水口が設けられたボウル部を備えた洗面化粧台が知られている。また、ボウル部に細菌が繁殖してしまうことを防ぐため、殺菌機能を有する機能水を吐出する機能水吐出装置を設け、機能水吐出装置によってボウル部に機能水を吐出することで、ボウル部内の細菌の繁殖を防ぐ洗面化粧台も知られている（特許文献１）。
【０００３】
洗面化粧台においては、ボウル部表面から流れてきた水は全て排水口内へと流れるため、排水口及び排水口の内部は最も濡れる機会が多い。濡れた箇所には黴や細菌が繁殖しやすいため、排水口および排水口の内部は黴や細菌が多く繁殖している。したがって、排水口及び排水口の内部にも、機能水を吐出することが望ましい。
【０００４】
しかし、機能水吐出装置がボウル部の後方に設けられたバックガードに設置された洗面化粧台において、機能水吐出装置から噴霧された機能水が、バックガード及びボウル部の後方壁面に当たってしまう可能性がある。例えば電解水やオゾン水などの機能水は、菌と反応すると、除菌を行った機能水の成分は除菌機能を失う。つまり、例えば電解水やオゾン水などの機能水の濃度は、菌と反応すると低下する。したがって、機能水がバックガード及びボウル部の後方壁面に当たってしまうと、機能水の多くの成分が排水口にたどり着く前にバックガード及びボウル部に付着した細菌と反応してしまい、排水口及び排水口の内部に適切な濃度の機能水を流すことができないといった課題がある。
【０００５】
また、例えば電解水などの機能水は、時間と共に「濃度減衰」を起こすため、早急に殺菌対象物に付着させる必要があるが、機能水がバックガード及びボウル部の後方壁面に当たってしまうと、機能水がバックガード及びボウル部の後方壁面の表面を伝ったのちにボウル部の底面にたどり着くこととなるため、機能水が排水口の内部にたどり着くまで時間が掛かってしまい、排水口の内部に付着している細菌への殺菌力が低下する、という課題がある。
【先行技術文献】
【特許文献】
【０００６】
【特許文献１】特開平１０−２８７２１号公報
【発明の概要】
【発明が解決しようとする課題】
【０００７】
本発明は、かかる課題の認識に基づいてなされたものであり、機能水吐出装置がボウル部の後方に設けられたバックガードに設置された洗面化粧台において、排水口及び排水口の内部に適切な濃度の機能水を流すことができ、且つ、機能水を早急に排水口の内部に流入させることで排水口の内部の黴の発生や細菌の繁殖を抑制することができる洗面化粧台を提供することを目的とする。
【課題を解決するための手段】
【０００８】
第１の発明は、排水口が設けられたボウル部を備えた洗面化粧台であって、殺菌機能を有する機能水を吐出する機能水吐出部が設けられた機能水吐出装置と、をさらに備え、前記ボウル部の後方には、前記ボウル部の縁より高い位置にバックガードが延設されており、前記機能水吐出装置は、前記バックガードの前面に設置されており、機能水を前記バックガード及び前記ボウル部の後方壁面に当たらないように吐出することを特徴とする洗面化粧台である。
【０００９】
この洗面化粧台によれば、機能水吐出装置は機能水をバックガードおよびボウル部の後方壁面に当てないように斜め前方へ向かって吐出するため、機能水が排水口にたどり着く前にバックガードおよびボウル部の後方壁面に付着している細菌と反応してしまうことで機能水の濃度が低下してしまうことを防ぐことができ、排水口及び排水口の内部に適切な濃度の機能水を流すことができる。また、機能水吐出装置は機能水をバックガード及びボウル部の後方壁面に当たらないように吐出するため、機能水をバックガードおよびボウル部の後方壁面に当てることなく早急に排水口の内部に流入させることができ、排水口の内部の黴の発生や細菌の繁殖を抑制することができる。
【００１０】
第２の発明は、第１の発明において、前記機能水吐出装置は、前記排水口に向かって、前方方向に機能水を広げるように噴霧することを特徴とする洗面化粧台である。
【００１１】
この洗面化粧台によれば、機能水吐出装置が排水口に向かって、前方方向に機能水を広げるように噴霧するため、機能水吐出装置は機能水吐出部から排水口に向かうにつれ前方方向に広がった機能水を噴霧することができ、バックガードに設置された、機能水吐出部が小さい小型の機能水吐出装置であっても、排水口周りに広く機能水を着水させることができる。
【００１２】
第３の発明は、第２の発明において、前記ボウル部より下方に設けられ、物品が収納可能なキャビネット部をさらに備え、前記排水口は、前記ボウル部を正面からみて、前記ボウル部内の後方寄りに設けられており、前記機能水吐出装置から噴霧されている機能水は、前記ボウル部内の後方寄りにおいて略垂直に、前記ボウル部内の前方寄りにおいて斜め前方方向に、噴霧されていることを特徴とする洗面化粧台である。
【００１３】
この洗面化粧台によれば、排水口を、ボウル部を正面からみて、ボウル部内の後方寄りに設けることによって、排水口より下流に設けられる排水配管などがボウル部より下方に設けられたキャビネット部の収納空間を圧迫してしまうことを抑制でき、且つ、排水口がボウル部内の前方寄りに設けられていないため、排水口に噴霧された機能水がボウル部に着水することで発生した水はねによって、機能水がボウル部より前方側（ボウル部正面側）にいる使用者に掛かってしまうことを抑制できる。
また、この際、ボウル部の後方に延設されたバックガードに、排水口が近づいた構成となってしまうが、機能水吐出装置から噴霧されている機能水は、ボウル部内の後方寄りにおいて略垂直に、ボウル部内の前方寄りにおいて斜め前方方向に、噴霧されていることで、バックガードに機能水が当たらないようにさせつつ、着水時は、排水口周りに広く着水させることができる。
【発明の効果】
【００１４】
本発明の態様によれば、機能水吐出装置がボウル部の後方に設けられたバックガードに設置された洗面化粧台において、排水口及び排水口の内部に適切な濃度の機能水を流すことができ、且つ、機能水を早急に排水口の内部の黴の発生や細菌の繁殖を抑制することができる洗面化粧台を提供することができる。
【図面の簡単な説明】
【００１５】
【図１】本発明の実施の形態にかかる洗面化粧台を表す模式的斜視図である。
【図２】本実施形態にかかる洗面化粧台の要部構成を表すブロック図である。
【図３】本実施形態の電解水吐出装置の具体例を例示する模式的斜視図である。
【図４】本実施形態の電解水生成部の具体例を表す模式的断面図である。
【図５】本実施形態のボウル部の近傍を表す模式的斜視図である。
【図６】電解水が歯ブラシに当たっている状態を表す模式的斜視図である。
【図７】本実施形態のボウル部を上から眺めた模式的平面図である。
【図８】図７に表した切断面Ｃ８−Ｃ８における模式的断面図である。
【図９】図７に表した切断面Ｃ９−Ｃ９における模式的断面図である。
【図１０】図７に表した切断面Ｃ１０−Ｃ１０における模式的断面図である。
【発明を実施するための形態】
【００１６】
以下、本発明の実施の形態について図面を参照しつつ説明する。なお、各図面中、同様の構成要素には同一の符号を付して詳細な説明は適宜省略する。  
図１は、本発明の実施の形態にかかる洗面化粧台を表す模式的斜視図である。  
図２は、本実施形態にかかる洗面化粧台の要部構成を表すブロック図である。  
図３は、本実施形態の電解水吐出装置の具体例を例示する模式的斜視図である。  
図４は、本実施形態の電解水生成部の具体例を表す模式的断面図である。
【００１７】
本実施形態にかかる洗面化粧台１００は、洗面台１１０と、水栓装置１２０と、電解水吐出装置（機能水吐出装置）１３０と、電解水生成部１５０と、キャビネット部１９２と、を備える。図１に表したように、洗面台１１０は、例えばキャビネット部１９２の上に設けられている。キャビネット部１９２には引き出し機構が設けられており、内部に物品を収納可能である。洗面台１１０の上には、化粧鏡１９１が設けられていてもよい。なお、洗面台１１０の周囲に配置される部材は、キャビネット部１９２および化粧鏡１９１だけには限定されない。
【００１８】
なお、本願明細書において、「上」、「下」、「右」および「左」という記載は、洗面化粧台１００の前で洗面化粧台１００を見た人を基準とした上、下、右および左をそれぞれいう。また、本願明細書においては、洗面化粧台１００から、洗面化粧台１００の前に居る人へ向かう方向を「前」方向とし、その逆方向を「後」方向とする。
【００１９】
洗面台１１０は、ボウル部１１１を有する。ボウル部１１１には、排水口１１３が設けられている。排水口１１３は、ボウル部１１１を正面からみて、ボウル部１１１内の後方寄りに設けられている。ボウル部１１１の後側（奥側）の部分には、バックガード１８０が設けられている。バックガード１８０は、ボウル部１１１の縁部１１９よりも高い位置まで延びている。バックガード１８０は、水栓装置１２０や電解水吐出装置１３０などの機能部を隠すことができ、洗面化粧台１００のデザインを向上させることができる。なお、キャビネット部１９２はボウル部１１１の下方に設けられている。
【００２０】
図１に表したように、水栓装置１２０は、バックガード１８０の前面１８１に設けられている。図２に表したように、水栓装置１２０は、吐水部１２１を有する。吐水部１２１は、ボウル部１１１に水１６７を吐出する。水１６７は、通常水（例えば、水道水）である。具体的に説明すると、水栓装置１２０は、分岐金具１４２および開閉弁１４４を介して給水源１４５に接続されている。分岐金具１４２は、例えばボウル部１１１の下に設けられている。水道水１６７は、水栓装置１２０の操作部である操作レバー１２２への手動操作により開閉弁１４４が開状態となった際に、開閉弁１４４を通って吐水部１２１からボウル部１１１に吐出される。なお、本実施形態において、操作レバー１２２および開閉弁１４４は一体に設けられている。
【００２１】
図１に表したように、電解水吐出装置１３０は、バックガード１８０の前面１８１に設けられている。図２に表したように、電解水吐出装置１３０は、操作部１３１を有する。例えば使用者が操作部１３１を操作すると、電解水吐出装置１３０は、除菌作用を有する電解水（機能水）１６１を霧状に吐出（噴霧）する。霧状の機能水１６１の粒子径は、分布をもっており、サブミクロンオーダーのものから、２０００マイクロメートル（μｍ）を越えるものまで存在する。霧状の機能水１６１の平均粒子径は、例えば約２００μｍ以上１５００μｍ以下程度である。図２に表したように、電解水吐出装置１３０は、分岐金具１４２および電磁弁１４３を介して給水源１４５に接続されている。電磁弁１４３は、例えばボウル部１１１の下に設けられている。
【００２２】
電解水生成部１５０は、電磁弁１４３と電解水吐出装置１３０との間に設けられ、除菌作用を有する電解水１６１を生成する。例えば、図４に表したように、電解水生成部１５０は、陽極１５１と、陰極１５２と、を内部に有し、制御部１４１から出力された通電の制御信号により、陽極１５１と、陰極１５２と、の間の空間（流路）を流れる水道水を電気分解することができる。水道水は、塩化物イオンを含んでいる。塩化物イオンは、水源（例えば、地下水や、ダムの水や、河川などの水）に例えば食塩（ＮａＣｌ）や塩化カルシウム（ＣａＣｌ２）などとして含まれている。
【００２３】
そこで、電圧が陽極１５１と陰極１５２との間に供給されると、式（１）に表した反応が陰極１５２において生ずる。
Ｈ＋＋ｅ−  →  １／２Ｈ２↑                 ・・・（１）
【００２４】
一方で、電圧が陽極１５１と陰極１５２との間に供給されると、式（２）および式（３）に表した反応が陽極１５１において生ずる。
２ＯＨ−  →  ２ｅ−＋Ｈ２Ｏ＋１／２Ｏ２↑    ・・・（２）
Ｃｌ−  →  ｅ−＋１／２Ｃｌ２               ・・・（３）
【００２５】
式（３）において発生した塩素は気泡としては存在しにくく、ほとんどの塩素は水に溶解する。そのため、式（３）において発生した塩素については、式（４）に表した反応が生ずる。このようにして、塩化物イオンを電気分解することにより次亜塩素酸（ＨＣｌＯ）が生成される。その結果、電解水生成部１５０において電気分解された水は、次亜塩素酸を含む液に変化する。
Ｃｌ２＋Ｈ２Ｏ  →  ＨＣｌＯ＋Ｈ＋＋Ｃｌ−    ・・・（４）
【００２６】
次亜塩素酸は、除菌成分として機能する。次亜塩素酸を含む液は、例えばボウル部１１１や排水口１１３、排水口１１３の内部１１６、ヘアキャッチャー１６５（図９参照）などに付着している細菌を除菌することができる。
【００２７】
電解水が細菌と反応すると、式（５）に表した反応が生ずる。
Ｒ−Ｈ＋ＨＣｌＯ  →  Ｒ−ＯＨ＋Ｈ＋＋Ｃｌ−    ・・・（５）
式（５）の中に表した「Ｒ−Ｈ」は、有機物であり、例えば細菌の細胞である。式（５）の中に表した「Ｒ−ＯＨ」は、分解された有機物である。これにより、細菌の細胞が変性され、除菌（殺菌）が行われる。そして、電解水が細菌と反応すると、除菌成分（ＨＣｌＯ）が失われるため、結果として、電解水（除菌水）の濃度が下がる。
【００２８】
また、時間が経つと、式（６）に表した反応が生ずる。
２ＨＣｌＯ  →  ２Ｈ＋＋２Ｃｌ−＋Ｏ２    ・・・（６）
このように、時間が経つと、除菌成分（ＨＣｌＯ）が失われるため、結果として、電解水（除菌水）の濃度が下がる。
【００２９】
なお、本実施形態の電解水生成部１５０は、次亜塩素酸を含む液を生成することには限定されない。電解水生成部１５０は、水を電気分解することにより除菌作用を有する電解水を生成できればよい。
【００３０】
制御部１４１が電磁弁１４３に信号を送信し電磁弁１４３を開くと、給水源１４５から供給された水は、分岐金具１４２および電磁弁１４３を通って電解水生成部１５０に供給される。電解水生成部１５０に供給された水は、電解水生成部１５０において電解水１６１として生成され、電解水吐出装置１３０からボウル部１１１に吐出される。
【００３１】
例えば、図３に表したように、電解水吐出装置１３０は、操作部１３１と、電解水吐水部（機能水吐出部）１３２と、照射部１３３と、を有する。電解水吐出装置１３０は、例えば使用者が操作部１３１を操作すると、電解水生成部１５０により生成された電解水１６１を電解水吐水部１３２からボウル部１１１に向けて吐出する。電解水吐出装置１３０は、照射部１３３から光を放出し、電解水吐水部１３２から吐出された電解水１６１に光を照射してもよい。
【００３２】
図５は、本実施形態のボウル部の近傍を表す模式的斜視図である。  
図６は、電解水が歯ブラシに当たっている状態を表す模式的斜視図である。  
図７は、本実施形態のボウル部を上から眺めた模式的平面図である。  
図８は、図７に表した切断面Ｃ８−Ｃ８における模式的断面図である。  
図９は、図７に表した切断面Ｃ９−Ｃ９における模式的断面図である。
図１０は、図７に表した切断面Ｃ１０−Ｃ１０における模式的断面図である。
【００３３】
図５〜図１０に表したように、ボウル部１１１は排水口１１３を有する。排水口１１３は、ボウル部１１１の表面１１５の隅に設けられている。具体的には、排水口１１３は、表面１１５の後側の隅に設けられている。なお、本願明細書において、ボウル部１１１の表面１１５は、ボウル部の底面に相当する。
【００３４】
図８および図９に表したように、ボウル部１１１の表面１１５には、排水口１１３に向かって下方に傾斜した排水勾配が形成されている。排水口１１３の上には、排水栓１１２が設けられている。排水栓１１２は、排水口１１３の部分に常設され、上下方向に昇降することにより排水口１１３を開閉することができる。
【００３５】
図８に表したように、電解水吐出装置１３０は、排水口１１３に向かって斜めから電解水１６１を吐出する。例えば、電解水吐出装置１３０から霧状に吐出された電解水１６１は、排水栓１１２を含む領域に着水する。すなわち、例えば、電解水吐出装置１３０から霧状に吐出された電解水１６１のうちの少なくとも一部は、排水栓１１２に着水する。なお、電解水吐出装置１３０から吐出された電解水１６１が着水する領域は、これだけには限定されない。
【００３６】
図６に表したように、例えば使用者は、電解水吐出装置１３０から吐出された電解水１６１に歯ブラシ１７１を当てることにより、歯ブラシ１７１における細菌の繁殖を抑制することができる。
【００３７】
ここで、電解水吐出装置が排水口の真上に配置され、ボウル部の底面の右隅または左隅に配置された排水口に電解水が吐出されると、電解水吐出装置から吐出された電解水がボウル部の縁部の上面に付着することがある。また、電解水吐出装置から吐出された電解水に歯ブラシを当て、歯ブラシの先端、根元および内部を除菌する場合には、歯ブラシにおいて跳ね返った電解水が飛び散り、ボウル部の縁部の上面や洗面カウンタに付着することがある。ボウル部の縁部の上面や洗面カウンタに付着した電解水が乾燥すると、水垢がボウル部の縁部の上面や洗面カウンタに発生することがある。
【００３８】
これに対して、本実施形態にかかる洗面化粧台１００では、前述したように、電解水吐出装置１３０は、排水口１１３に向かって斜めから電解水１６１を吐出する。これによれば、排水口１１３がボウル部１１１の表面１１５の隅に設けられた場合であっても、歯ブラシ１７１において跳ね返った電解水１６１がボウル部１１１の外部（例えばボウル部１１１の縁部１１９の上面や、洗面カウンタ１７３など）に付着することを抑えるとともに、排水口１１３を除菌することができる。また、ボウル部１１１の表面１１５の隅に設けられた排水口１１３に向かって電解水１６１が吐出されるため、電解水１６１が排水口１１３に向かって斜めから吐出されても、電解水１６１がボウル部１１１の外部に付着することをボウル部１１１の側壁１１１ａが抑えることができる。
【００３９】
図１に関して前述したように、バックガード１８０がボウル部１１１の後側の部分に設けられ、ボウル部１１１の縁部１１９よりも高い位置まで延びている。また、排水口１１３は、表面１１５の後側の隅に設けられている。これによれば、歯ブラシ１７１において跳ね返った電解水１６１が正面にいる使用者にかかることを確実に抑えることができる。
【００４０】
図１に関して前述したように、電解水吐出装置１３０および水栓装置１２０は、バックガード１８０の前面１８１に設けられている。そのため、電解水吐出装置１３０および水栓装置１２０の機能部をバックガード１８０で隠すことができ、正面からの見た目がすっきりとしたハイデザインな洗面化粧台１００を提供することができる。
【００４１】
しかし、排水口１１３がボウル部１１１の表面１１５の奥側の隅に設けられているため、バックガードの前面に設けられた電解水吐出装置が排水口から比較的遠い位置に離れると、電解水吐出装置から広がるように吐出された電解水が、バックガードに当たりやすくなる。電解水が排水口に当たる前にバックガードに当たると、電解水がバックガードの前面に存在する菌と反応して水に戻る。すると、排水口に作用する電解水の量が減ってしまう。
【００４２】
これに対して、電解水を吐出する電解水吐出装置の電解水吐水部がバックガードの前面からボウル部に向かって突出した量を比較的多くすると、水栓装置から吐出された水をバケツに汲む際に、電解水吐出装置が邪魔になることがある。
【００４３】
そこで、本実施形態にかかる洗面化粧台１００では、図８に表したように、電解水吐出装置１３０は、正面からみたときに、ボウル部１１１の中央Ｂ１と排水口１１３との間に設けられている。図８に表した例では、電解水吐出装置１３０の左端部は、水栓装置１２０の右端部から右方向へ距離Ｄ２１だけ離れた位置に設けられている。また、電解水吐出装置１３０の右端部は、排水口１１３の縁部１１４（図１０参照）から左方向へ距離Ｄ２２だけ離れた位置に設けられている。
【００４４】
図８に表したように、水栓装置１２０と排水口１１３との間の距離Ｄ２３は、電解水吐出装置１３０と排水口１１３との間の距離Ｄ２２よりも遠い。具体的には、水栓装置１２０の右端部と排水口１１３の縁部１１４との間の距離Ｄ２３は、電解水吐出装置１３０の右端部と排水口１１３の縁部１１４との間の距離Ｄ２２よりも遠い。
【００４５】
これによれば、水栓装置１２０から吐出された水１６７が、電解水吐出装置１３０から吐出された電解水１６１の進行を阻害することを抑えることができる。
【００４６】
図８に表したように、電解水吐出装置１３０は、電解水１６１をボウル部１１１の左右壁面に当たらないように吐出する。このことより、電解水１６１が排水口１１３及び排水口１１３の内部１１６にたどり着く前にボウル部１１１の左右壁面に付着している細菌と反応してしまうことで電解水１６１の濃度が低下してしまうことを防ぐことができ、排水口１１３及び排水口１１３の内部１１６に適切な濃度の電解水１６１を流すことができる。また、このことより、電解水１６１をボウル部１１１の左右壁面に当てることなく早急に排水口１１３の内部１１６に流入させることができ、排水口１１３の内部１１６の黴の発生や細菌の繁殖を抑制することができる。
【００４７】
図９に表したように、電解水吐出装置１３０は、電解水１６１をバックガード１８０及びボウル部１１１の後方壁面に当たらないように吐出する。このことより、電解水１６１が排水口１１３及び排水口１１３の内部１１６にたどり着く前にバックガード１８０およびボウル部１１１の後方壁面に付着している細菌と反応してしまうことで電解水１６１の濃度が低下してしまうことを防ぐことができ、排水口１１３及び排水口１１３の内部１１６に適切な濃度の電解水１６１を流すことができる。また、このことより、電解水１６１をバックガード１８０およびボウル部１１１の後方壁面に当てることなく早急に排水口１１３の内部１１６に流入させることができ、排水口１１３の内部１１６の黴の発生や細菌の繁殖を抑制することができる。
【００４８】
また、図９に表したように、電解水吐出装置１３０は、排水口１１３に向かって、前方方向に、電解水１６１を広げるように吐出する。このことより、電解水吐出装置１３０は、電解水吐水部１３２から排水口１１３に向かうにつれ前方方向に広がった電解水１６１を噴霧することができ、電解水吐水部１３２が小さい小型の電解水吐出装置１３０であっても、排水口１１３周りに広く電解水１６１を着水させることができる。なお、本発明の実施の形態においては、電解水吐出装置１３０の電解水吐水部１３２は、電解水１６１を円錐状に吐出する。
【００４９】
また、図９に表したように、電解水吐出装置１３０から噴霧されている電解水１６１は、ボウル部１１１内の後方寄りにおいて略垂直に、ボウル部１１１内の前方寄りにおいて斜め前方方向に、噴霧されている。このことより、ボウル部１１１の後方に延設されたバックガード１１８に、排水口１１３が近づいた構成であっても、電解水吐出装置１３０から噴霧されている電解水１６１は、ボウル部１１１内の後方寄りにおいて略垂直に、ボウル部１１１内の前方寄りにおいて斜め前方方向に、噴霧されていることで、バックガード１１８に電解水１６１が当たらないようにさせつつ、着水時は、排水口１１３周りに広く着水させることができる。なお、本発明における「略垂直」は、垂直方向に対して５度以内で傾いているものも含むものであると定義する。
【００５０】
電解水吐水部１３２は、電解水吐水部１３２の前端が後端より高い位置となるように、前方方向に斜めに傾いて設置されている。このことより、電解水吐水部１３２から吐出された電解水１６１は、吐水方法を工夫せずとも、電解水吐水部１３２から円錐状に均一となるよう広がるように吐出されるものであれば、前方方向に広がったものとなる。また、電解水吐水部１３２が設けられている電解水吐出装置１３０の下面は、電解水吐出装置１３０の下面の前端が後端より高い位置となるように、前方方向に斜めに傾斜している。このことより、電解水吐出装置１３０の下面に設けられた電解水吐水部１３２から吐出された電解水１６１が前方方向に広がったものであっても、電解水１６１が電解水吐出装置１３０の下面の例えば前端付近に当たってしまうことを防ぐことができる。本発明の実施の形態においては、電解水吐水部１３２は、電解水１６１がボウル部１１１内の後方寄りにおいて略垂直に、ボウル部１１１内の前方寄りにおいて斜め前方方向に、噴霧されるように、前方方向に斜めに傾いて設置されている。また、電解水吐水部１３２の前方方向の傾きの大きさと、電解水吐出装置１３０の下面の前方方向の傾きの大きさは、略同一である。ここでいう「略同一」とは、互いの傾きの差分の大きさが、５度以内のものである。
【００５１】
本発明の実施の形態においては、機能水を電解水としたが、本発明はそれに限らず、例えばオゾン水等であっても良い。
【００５２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、水栓装置１２０および電解水吐出装置１３０などが備える各要素の形状、寸法、材質、配置などや水栓装置１２０、電解水吐出装置１３０および排水口１１３の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５３】
１００ 洗面化粧台、  １１０ 洗面台、  １１１ ボウル部、  １１１ａ 側壁、  １１２ 排水栓、  １１３ 排水口、  １１４ 縁部、  １１５ 表面、  １１６内部、  １１９ 縁部、  １２０ 水栓装置、  １２１ 吐水部、  １２２ 操作レバー、  １３０ 電解水吐出装置（機能水吐出装置）、  １３１ 操作部、  １３２ 電解水吐水部（機能水吐出部）、  １３３ 照射部、  １４１ 制御部、  １４２ 分岐金具、  １４３、１４４ 電磁弁、  １４５ 給水源、  １５０ 電解水生成部、  １５１ 陽極、  １５２ 陰極、  １６１ 電解水（機能水）、  １６７ 水、  １７１ 歯ブラシ、  １７３ 洗面カウンタ、  １８０ バックガード、  １８１ 前面、  １９１ 化粧鏡、  １９２ キャビネット部、  Ｂ１ 中央
【図１】
2017127345.tif 000003
【図２】
2017127345.tif 000004
【図３】
2017127345.tif 000005
【図４】
2017127345.tif 000006
【図５】
2017127345.tif 000007
【図６】
2017127345.tif 000008
【図７】
2017127345.tif 000009
【図８】
2017127345.tif 000010
【図９】
2017127345.tif 000011
【図１０】
2017127345.tif 000012